(57)【要約】【課題】絶対圧を測定する静電容量型圧力センサで生じる不具合を解消して、流量の測定誤差を低減する。【解決手段】流体が流れる流路Ｒ１に流体抵抗部４が設けられ、当該流体抵抗部４の上流側圧力及び下流側圧力をそれぞれ検出して流量を測定する圧力式流量計１００であって、上流側圧力を検出する圧力センサ３ａ及び前記下流側圧力を検出する圧力センサ３ｂが、ゲージ圧センサであり、ゲージ圧センサは、圧力により変位するダイアフラム３１と固定電極３２との間の静電容量の変化を検出してゲージ圧を測定する静電容量型圧力センサであり、固定電極３２及びダイアフラム３１を支持するとともに、それらの間に空間を形成する本体部３３を有し、その内部空間Ｓ１は、連通部３７により外部と繋がっている。【選択図】図２
2018081025.tif 000002
【特許請求の範囲】
【請求項１】
流体が流れる流路に流体抵抗部が設けられ、当該流体抵抗部の上流側圧力及び下流側圧力をそれぞれ検出して流量を測定する圧力式流量計であって、
前記上流側圧力を検出する圧力センサ及び前記下流側圧力を検出する圧力センサは、圧力により変位するダイアフラムと固定電極との間の静電容量の変化を検出してゲージ圧を測定する静電容量型圧力センサであり、前記固定電極及び前記ダイアフラムを支持するとともに、それらの間に内部空間を形成する本体部を有し、
前記内部空間は、連通部により大気開放されている圧力式流量計。
【請求項２】
前記連通部は、前記本体部に形成されている、請求項１記載の圧力式流量計。
【請求項３】
前記本体部と前記ダイアフラムとが接合されるものであり、
前記本体部と前記ダイアフラムとの一部に未接合部が形成されており、当該未接合部により前記連通部が形成されている、請求項１又は２記載の圧力式流量計。
【請求項４】
前記本体部における前記ダイアフラム接合面に溝が形成されており、当該溝により前記連通部が形成されている、請求項１又は２記載の圧力式流量計。
【発明の詳細な説明】
【技術分野】
【０００１】
本発明は、圧力式流量計に関する。
【背景技術】
【０００２】
圧力式流量計としては、流体が流れる流路に流体抵抗部を設け、当該流体抵抗部の上流側及び下流側それぞれに圧力センサを設け、当該上流側圧力センサ及び下流側圧力センサの差圧により、流体の流量を測定するものがある。
【０００３】
ここで、上流側圧力センサ及び下流側圧力センサには、同一構成の静電容量型圧力センサが用いられている。この静電容量型圧力センサは、圧力により変位するダイアフラムと固定電極との間の静電容量の変化を検出して絶対圧を測定するものである。
【０００４】
具体的に静電容量型圧力センサは、ダイアフラムが接合される本体部と、本体部に形成された電極固定孔に挿入され、先端面がダイアフラムに対向して設けられる固定電極とを備えており、固定電極と本体部との間に円筒形状をなすガード電極を設けて、固定電極及び本体部の間に生じる浮遊容量の発生を抑制している。そして、電極固定孔には、固定電極及びガード電極の間を絶縁するとともにそれらを連結する第１封止ガラスと、ガード電極及び本体部の間を絶縁するとともにそれらを連結する第２封止ガラスとが設けられている。
【０００５】
しかしながら、ダイアフラム及び固定電極の間に形成される密閉基準室に封入された内部気体が、ガード電極及び封止ガラスの間の隙間が生じやすく、隙間から徐々にリークが起こり、結果として、正確な圧力測定を妨げてしまう可能性がある。上流側圧力及び下流側圧力の差圧により流量を測定する圧力式流量計では、上流側圧力センサの密閉基準室の状態及び下流側圧力センサの密閉基準室の状態が変化してしまうと、流量の測定誤差の原因となってしまう。
【先行技術文献】
【特許文献】
【０００６】
【特許文献１】特開２００８−１９６８５８号公報
【発明の概要】
【発明が解決しようとする課題】
【０００７】
そこで本発明は、上記問題点を解決すべくなされたものであり、絶対圧を測定する静電容量型圧力センサで生じる不具合を解消して、流量の測定誤差を低減することをその主たる課題とするものである。
【課題を解決するための手段】
【０００８】
すなわち本発明に係る圧力式流量計は、流体が流れる流路に流体抵抗部が設けられ、当該流体抵抗部の上流側圧力及び下流側圧力をそれぞれ検出して流量を測定する圧力式流量計であって、前記上流側圧力を検出する圧力センサ及び前記下流側圧力を検出する圧力センサは、圧力により変位するダイアフラムと固定電極との間の静電容量の変化を検出してゲージ圧を測定する静電容量型圧力センサであり、前記固定電極及び前記ダイアフラムを支持するとともに、それらの間に内部空間を形成する本体部を有し、前記内部空間は、連通部により大気開放されていることを特徴とする。
【０００９】
この圧力式流量計であれば、上流側圧力センサ及び下流側圧力センサとして、ゲージ圧を測定する静電容量型圧力センサを用いているので、絶対圧を測定する静電容量型圧力センサで生じる外部リークの問題を解消することができる。ここで、固定電極及びダイアフラムを支持する本体部の内部空間が、連通部により外部と繋がって大気開放されているので、ゲージ圧を測定することが可能となる。これにより、上流側圧力センサ及び下流側圧力センサにおいて外部リークによる圧力変動差は生じないので、各圧力センサ間での正確な差圧測定が可能となり、流量の測定誤差を低減することができる。
【００１０】
静電容量型圧力センサにおける本体部には、固定電極、ガード電極及び封止ガラスなどが設けられる。これらの構成を前提として、連通部を簡単に構成するためには、前記連通部は、前記本体部に形成されていることが望ましい。
【００１１】
前記本体部と前記ダイアフラムとが接合されるものであり、前記本体部と前記ダイアフラムとの一部に未接合部が形成されており、当該未接合部により前記連通部が形成されていることが望ましい。この構成であれば、本体部に連通部を設けるための特別な加工を施す必要がない。
【００１２】
前記本体部における前記ダイアフラム接合面に溝が形成されており、当該溝により前記連通部が形成されていることが望ましい。この構成であれば、本体部のダイアフラム接合面に溝を形成するだけでよく、また、ダイアフラム接合面にダイアフラムを接合した状態で、溝により連通部が形成されることになり、連通部を簡単に構成することができる。
【発明の効果】
【００１３】
本発明によれば、絶対圧を測定する静電容量型圧力センサで生じる不具合を解消して、流量の測定誤差を低減することができる。
【図面の簡単な説明】
【００１４】
【図１】本実施形態の圧力式流量計の構成を模式的に示す断面図である。
【図２】同実施形態の静電容量型圧力センサの構成を模式的に示す断面図及び平面図である。
【図３】変形実施形態の静電容量型圧力センサの構成を模式的に示す断面図及び平面図である。
【図４】変形実施形態の静電容量型圧力センサの構成を模式的に示す断面図及び平面図である。
【図５】変形実施形態の静電容量型圧力センサの構成を模式的に示す断面図及び平面図である。
【図６】変形実施形態の静電容量型圧力センサの構成を模式的に示す断面図及び平面図である。
【発明を実施するための形態】
【００１５】
以下に本発明に係る圧力式流量計の一実施形態について図面を参照して説明する。
【００１６】
本実施形態の圧力式流量計１００は、例えば半導体製造プロセスに用いられるものであり、流体が流れる流路に流体抵抗部が設けられ、当該流体抵抗部の上流側圧力及び下流側圧力をそれぞれ検出して流量を測定する圧力式流量計である。
【００１７】
具体的にこの圧力式流量計１００は、図１に示すように、例えば半導体プロセス用液体等の液体が流れる流路Ｒ１が形成されたボディユニット２と、当該ボディユニット２に設けられて、流路Ｒ１の上流側の圧力を検知する上流側圧力センサ３ａと、流路Ｒ１の下流側の圧力を検出する下流側圧力センサ３ｂとを備えている。なお、ボディユニット２は、前記液体に対して耐食性を有する材料から形成されており、例えばステンレス鋼製である。また、その他、圧力センサ３ａ、３ｂ等の接液部材も同様に、前記液体に対して耐食性を有する材料から形成されており、例えばステンレス鋼製である。
【００１８】
ボディユニット２は、内部流路Ｒ１が貫通したブロック状をなすものである。内部流路Ｒ１の途中には、例えば層流素子やオリフィスなどの流体抵抗部４が設けられている。また、ボディユニット２の上流側である流路一端部には、外部流入配管Ｈ１が接続される。ボディユニット２の下流側である流路他端部には、外部流出配管Ｈ２が接続される。なお、外部流入配管Ｈ１及び外部流出配管Ｈ２は、圧力センサ３のダイアフラム３１よりも剛性の高い材質により構成されている。そして、外部流入配管Ｈ１及び外部流出配管Ｈ２には、例えば空圧弁や電磁弁などの開閉弁Ｖ１、Ｖ２が設けられている。
【００１９】
上流側圧力センサ３ａは、流体抵抗部４の上流側に設けられており、下流側圧力センサは、流体抵抗部４の下流側に設けられている。ここで上流側圧力センサ３ａは、ボディユニット２に形成された上流側導入路Ｒ１１及び上流側導出路Ｒ１２の開口を覆うようにボディユニット２に取り付けられる。また、下流側圧力センサ３ｂは、ボディユニット２に形成された下流側導入路Ｒ１３及び下流側導出路Ｒ１４の開口を覆うようにボディユニット２に取り付けられる。上流側導入路Ｒ１１、上流側導出路Ｒ１２、下流側導入路Ｒ１３及び下流側導出路Ｒ１４はいずれも、内部流路Ｒ１における流体抵抗素子４の近傍においてボディユニット２の一面に開口するように形成されている。なお、上流側圧力センサ３ａ及び下流側圧力センサ３ｂはセンサ駆動回路により駆動され、各センサ３ａ、３ｂにより得られた静電容量を示す検出信号は、増幅回路により増幅されて、演算回路により流量に換算される。
【００２０】
具体的に各圧力センサ３ａ、３ｂは、流路Ｒ１の圧力の変化に応じて変形するダイアフラム３１を用いて圧力を検知するものであり、図２に示すように、ダイアフラム３１とダイアフラム３１から離間して設けられた固定電極３２との間の静電容量を検出することにより圧力を測定する静電容量型の圧力センサである。
【００２１】
この静電容量型圧力センサは、ダイアフラム３１が接合される本体部３３と、本体部３３に形成された電極固定孔３３ｈに挿入され、先端面がダイアフラム３１に対向して設けられる固定電極３２と、固定電極３２と本体部３３との間に設けられた円筒形状をなすガード電極３４と、固定電極３２及びガード電極３４の間に設けられ、それらを絶縁するとともにそれらを連結する第１封止ガラス３５と、ガード電極３４及び本体部３３の間に設けられ、それらを絶縁するとともにそれらを連結する第２封止ガラス３６とを備える。
【００２２】
そして、本実施形態の静電容量型圧力センサは、ゲージ圧センサとなるように構成してあり、具体的には、圧力センサにおいてダイアフラム３１及び固定電極３２の間に形成される内部空間Ｓ１は、連通部３７により広い外部空間と繋がって大気開放されており、大気圧状態である。なお、内部空間Ｓ１は、本体部３３に形成された凹部の周端面（ダイアフラム接合面）にダイアフラム３１を接合（例えば溶接）させることによって形成される。本実施形態では、上流側圧力センサ３ａ及び下流側圧力センサ３ｂは、それぞれの連通部３７により共通の広い外部空間と繋がって大気開放されている。
【００２３】
本実施形態の連通部３７は、本体部３３に形成されている。具体的には、本体部３３における円環状をなすダイアフラム接合面３３ａに溝３Ｍが径方向に沿って形成されており、当該溝３Ｍにより連通部３７が形成されている。
【００２４】
このように構成した圧力式流量計１００によれば、上流側圧力センサ３ａ及び下流側圧力センサ３ｂとして、ゲージ圧を測定する静電容量型圧力センサを用いているので、絶対圧を測定する静電容量型圧力センサで生じる外部リークの問題を解消することができる。これにより、上流側圧力センサ３ａ及び下流側圧力センサ３ｂにおいて外部リークによる圧力変動差は生じないので、各圧力センサ３ａ、３ｂ間での正確な差圧測定が可能となり、流量の測定誤差を低減することができる。
【００２５】
また、ダイアフラム接合面３３ａに形成された溝３Ｍにより連通部３７を形成しているので、本体部３３のダイアフラム接合面３３ａに溝加工を施すだけでよく、また、ダイアフラム接合面３３ａにダイアフラム３１を接合することによって、溝３Ｍにより連通部３７が形成されることになり、連通部３７を簡単に構成することができる。
【００２６】
なお、本発明は前記実施形態に限られるものではない。
例えば、連通部３７に関していえば、図３に示すように、本体部３３のダイアフラム接合面３３ａにおいて、その周方向の一部に未接合部３Ｘを形成して、当該未接合部３Ｘにより内部空間Ｓ１と外部とを連通させる連通部３７を構成しても良い。
【００２７】
また、図４に示すように、本体部３３の側壁に連通路３Ｐを形成して、当該連通路３Ｐにより内部空間Ｓ１と外部とを連通させる連通部３７を構成しても良い。図４の連通路３Ｐは、本体部３３の側壁において固定電極３２の中心軸に沿った方向（図４では上下方向）に形成したものであるが、内部空間Ｓ１の周方向外側に位置する側壁において例えば径方向に沿って形成したものであっても良い。
【００２８】
さらに、連通部３７は、本体部３３に形成する他に、図５に示すように、封止ガラス３５、３６をガラス融着させる際に内部空間Ｓ１及び外部を連通させる管３Ｔを設けることによって、封止ガラス部分に連通部３７を形成しても良い。また、図６に示すように、固定電極３２の中央部に軸方向に沿って内部空間Ｓ１及び外部を連通させる連通路３Ｐを形成しても良い。
【００２９】
前記実施形態は、流体抵抗部の上流側圧力及び下流側圧力をそれぞれ検出して流量を測定する圧力式流量計について説明したが、流体抵抗部の上流側に上流側圧力センサを設け、当該上流側圧力センサの検出圧力Ｐを用いて流量を測定する流量計に適用することもできる。この場合、上流側圧力センサの構成が前記実施形態の圧力センサと同様となる。この流量計では、流体抵抗部の上流側に流体の温度を検出する温度センサが設けられている。また、流体抵抗部は、オリフィス又はノズルである。この場合、流量計の演算回路は、流量Ｑを、Ｑ＝Ｋ×Ｐ（Ｋか流体の温度に依存する係数）により演算する。
【００３０】
前記実施形態では、圧力式流量計の圧力センサについて説明したが、圧力センサ単体のものであっても良い。
【００３１】
前記実施形態の圧力式流量計を半導体製造プロセス以外にも用いることができる。
【００３２】
その他、本発明は前記各実施形態に限られず、その趣旨を逸脱しない範囲で種々の変形が可能であるのは言うまでもない。
【符号の説明】
【００３３】
１００・・・圧力式流量計
Ｒ１・・・流路
３ａ・・・上流側圧力センサ
３ｂ・・・下流側圧力センサ
３１・・・ダイアフラム
３２・・・固定電極
３３・・・本体部
３７・・・連通部
３３ａ・・・ダイアフラム接合面
３Ｍ・・・溝
３Ｘ・・・未接合部
４・・・流体抵抗素子
【図１】
2018081025.tif 000003
【図２】
2018081025.tif 000004
【図３】
2018081025.tif 000005
【図４】
2018081025.tif 000006
【図５】
2018081025.tif 000007
【図６】
2018081025.tif 000008